(57)【要約】  【課題】  従来の回路に大きな変更を加えることなく、アナログ回路の消費電力を削減することにより、無線ＬＡＮ通信回路における低消費電力化を図る。  【解決手段】  この無線ＬＡＮ通信回路は、送信信号に基づいて変調を行うと共に受信されたＲＦ信号を復調して受信信号を生成するＲＦ処理部１１と、送信データをエンコードし、エンコードされた送信データをＤＡＣにより送信信号に変換してＲＦ処理部に出力すると共に、ＲＦ処理部から入力される受信信号をＡＤＣにより受信データに変換してデコードするベースバンド処理部１２と、無線ＬＡＮにおける機器間のアクセス制御に関する処理を行うアクセス処理部１７と、送信又は受信における１フレームのデータ長情報をアクセス処理部から取得し、該データ長情報に基づいてＡＤＣ又はＤＡＣのオン・オフ状態の切換を制御する制御部１８とを具備する。【選択図】  図１
2006295358.tif 000002
【特許請求の範囲】
【請求項１】
変調回路及び復調回路を含み、アナログの送信信号に基づいて変調を行うことによりＲＦ信号を生成してアンテナから送信すると共に、アンテナによって受信されたＲＦ信号に対して復調を行うことによりアナログの受信信号を生成するＲＦ処理部と、
ＤＡＣ及びＡＤＣを含み、送信データをエンコードし、エンコードされた送信データを前記ＤＡＣによりアナログの送信信号に変換して前記ＲＦ処理部に出力すると共に、前記ＲＦ処理部から入力されるアナログの受信信号を前記ＡＤＣにより受信データに変換してデコードするベースバンド処理部と、
無線ＬＡＮにおける機器間のアクセス制御に関し、ホストコンピュータから入力される送信データを処理して前記ベースバンド処理部に出力すると共に、前記ベースバンド処理部によってデコードされた受信データを処理して前記ホストコンピュータに出力するアクセス処理部と、
送信又は受信における１フレームのデータ長情報を前記アクセス処理部から取得し、該データ長情報に基づいて前記ＡＤＣ又は前記ＤＡＣのオン・オフ状態の切換を制御する制御部と、
を具備する無線ＬＡＮ通信回路。
【請求項２】
前記制御部が、１フレーム分の送信開始前に送信データ長情報を前記アクセス処理部から取得し、該送信データ長情報に基づいて１フレーム分の送信期間を求め、送信期間から前記ＡＤＣのスタートアップに要する所定の期間を除いた期間において前記ＡＤＣを停止状態となるように制御し、その期間の経過後に前記ＡＤＣを動作状態となるように制御する、請求項１記載の無線ＬＡＮ通信回路。
【請求項３】
前記制御部が、１フレーム分の受信開始後に受信データ長情報を前記アクセス処理部から取得し、該受信データ長情報に基づいて１フレーム分の受信期間を求め、受信期間から前記ＤＡＣのスタートアップに要する所定の期間を除いた期間において前記ＤＡＣを停止状態となるように制御し、その期間の経過後に前記ＤＡＣを動作状態となるように制御する、請求項１又は２記載の無線ＬＡＮ通信回路。
【請求項４】
前記制御部が、該データ長情報に基づいて前記復調回路又は前記変調回路のオン・オフ状態の切換を制御する、請求項１記載の無線ＬＡＮ通信回路。
【請求項５】
前記制御部が、１フレーム分の送信開始前に送信データ長情報を前記アクセス処理部から取得し、該送信データ長情報に基づいて１フレーム分の送信期間を求め、送信期間から前記復調回路のスタートアップに要する所定の期間を除いた期間において前記復調回路を停止状態となるように制御し、その期間の経過後に前記復調回路を動作状態となるように制御する、請求項４記載の無線ＬＡＮ通信回路。
【請求項６】
前記制御部が、１フレーム分の受信開始後に受信データ長情報を前記アクセス処理部から取得し、該受信データ長情報に基づいて１フレーム分の受信期間を求め、受信期間から前記変調回路のスタートアップに要する所定の期間を除いた期間において前記変調回路を停止状態となるように制御し、その期間の経過後に前記変調回路を動作状態となるように制御する、請求項４又は５記載の無線ＬＡＮ通信回路。
【発明の詳細な説明】
【技術分野】
【０００１】
本発明は、無線ローカルエリアネットワーク（以下、「無線ＬＡＮ」という）において信号の送受信を行うための無線ＬＡＮ通信回路に関する。
【背景技術】
【０００２】
近年においては、複数のコンピュータ間においてケーブルによる配線を行わずに無線通信を行うことによって構築される無線ＬＡＮが普及しつつある。それに伴い、無線ＬＡＮを構築するために用いられる様々な通信回路が開発されている。特に、携帯端末等に用いられる通信回路に対しては、小型化、低価格化、及び、低消費電力化が要求される。
【０００３】
一般に、無線ＬＡＮ通信回路は、ＲＦ信号の変調及び復調を行うＲＦ処理部と、ベースバンド信号の処理を行うベースバンド処理部と、物理層の上位のデータリンク層においてフレームの送受信方法やフレームの形式及び誤り検出方法等を規定するメディア・アクセス・コントロール（以下、「ＭＡＣ」という）に関する処理を行うＭＡＣ処理部とを有しており、ホストコンピュータに接続されて使用される。
【０００４】
ベースバンド処理部は、ホストコンピュータからＭＡＣ処理部を介して入力される送信データの形式をディジタル変調方式に対応してエンコードするエンコーダと、エンコードされた送信データをアナログの送信信号に変換するディジタル／アナログ変換器（以下、「ＤＡＣ」という）と、ＲＦ処理部から入力されるアナログの受信信号を受信データに変換するアナログ／ディジタル変換器（以下、「ＡＤＣ」という）と、受信データの形式をディジタル変調方式に対応してデコードすることにより、デコードされた受信データをＭＡＣ処理部を介してホストコンピュータに出力するデコーダとを含んでいる。
【０００５】
無線ＬＡＮにおいて用いられるＤＡＣ及びＡＤＣの性能としては、サンプリング周波数が４０ＭＨｚ〜８０ＭＨｚの高速動作と１０ビットの高精度が要求され、この仕様を満たすために、消費電流の大きな回路方式が採用されている。それにより、ベースバンド処理部における消費電力の約１/３（約４００ｍＷ）が、ＤＡＣ及びＡＤＣを含むアナログ回路において消費され、その中でも特に、ＡＤＣの消費電力が大きな割合を占めている。
【０００６】
従って、無線ＬＡＮ通信回路において低消費電力化を図るためには、素子の微細化等によりディジタル回路における消費電力を削減すると共に、アナログ回路における消費電力を削減する必要がある。
【０００７】
無線ＬＡＮ通信回路においては、１つの時点において送信及び受信の内の一方のみが選択的に行われるので、アナログ回路の消費電力を削減するために、使用していない期間においてＤＡＣ又はＡＤＣを停止させて、無駄な電力を使用しないことも考えられる。しかしながら、送信及び受信は、短い間隔で繰り返し行われており、例えば、受信開始時にＡＤＣをオン状態にして受信停止時にＡＤＣをオフ状態にしようとしても、ＡＤＣの長いスタートアップ期間（１ｍ秒程度）のために、受信データの取得が間に合わなくなってしまう。
【０００８】
関連する技術として、下記の特許文献１には、無線ローカルエリアネットワークにおける移動端末のスリープ状態割り当て及び通知が開示されている。特許文献１によれば、アクセスポイント（ＡＰ）及び移動端末がＭＡＣフレーム構造を有する二重エアリンクを使用して互いに通信を行うＨＩＰＥＲＬＡＮ（ハイパーラン）タイプ２標準に基づく無線ローカルエリアネットワークにおいて、ＡＰがＭＡＣフレーム内の異なる位置、例えばフレーム制御チャンネル内あるいはスローブロードキャストチャンネル内の異なる位置にウェイクアップＰＤＵを配置し、スリープ時間を最大化することによってＭＴのエネルギが節約される。
【０００９】
また、下記の特許文献２には、例えばインターネットを用いる通信システムにおいて、移動端末の位置を相手端末等に通知するためにネットワーク内で送受信される制御情報量を減少させ、電力消費を抑えることが開示されている。通信用移動端末は、今度移動する予定のエリアのそれぞれを特定するための複数のエリアの位置情報と、該複数のエリアに在圏する予定期間を示す生存時間とを１組とする終点位置情報の複数組を、一括して、相手端末と、移動端末のホームリンクのエリアと、現在在圏しているエリアと、直前に在圏していたエリアとにそれぞれ対応するデータ転送装置に通知する終点位置情報通知手段を備えている。
【００１０】
さらに、下記の特許文献３には、パケット通信期間中における移動端末装置の消費電力を抑え、これによりバッテリ寿命の延命化を図ることが開示されている。特許文献３によれば、移動端末装置とゲートウェイとの間にＳＶＣ（Switching Virtual Circuit）が開設された状態で、移動端末装置において計時手段のタイマによりデータ送受信が行われていない時間が監視される。所定時間以上連続してデータ送受信が行われていない場合には、移動端末装置からゲートウェイにスリープ通知を転送して両装置間のＳＶＣを切断させ、かつ、移動端末装置が自身の動作状態をスリープ状態に遷移させる。
【００１１】
しかしながら、これらの特許文献１〜３は、プロコトルの変更や情報量の操作によって低消費電力化を図ろうとするものであり、従来の回路に大きな変更を加える必要がある。
【特許文献１】特表２００２−５４１７３１号公報（第１頁、図８）
【特許文献２】特開２００３−１５３３３２号公報（第１頁、図１）
【特許文献３】特開平１１−３１３３７０号公報（第１頁、図７）
【発明の開示】
【発明が解決しようとする課題】
【００１２】
そこで、上記の点に鑑み、本発明は、従来の回路に大きな変更を加えることなく、アナログ回路の消費電力を削減することにより、無線ＬＡＮ通信回路における低消費電力化を図ることを目的とする。
【課題を解決するための手段】
【００１３】
上記課題を解決するため、本発明に係る無線ＬＡＮ通信回路は、変調回路及び復調回路を含み、アナログの送信信号に基づいて変調を行うことによりＲＦ信号を生成してアンテナから送信すると共に、アンテナによって受信されたＲＦ信号に対して復調を行うことによりアナログの受信信号を生成するＲＦ処理部と、ＤＡＣ及びＡＤＣを含み、送信データをエンコードし、エンコードされた送信データをＤＡＣによりアナログの送信信号に変換してＲＦ処理部に出力すると共に、ＲＦ処理部から入力されるアナログの受信信号をＡＤＣにより受信データに変換してデコードするベースバンド処理部と、無線ＬＡＮにおける機器間のアクセス制御に関し、ホストコンピュータから入力される送信データを処理してベースバンド処理部に出力すると共に、ベースバンド処理部によってデコードされた受信データを処理してホストコンピュータに出力するアクセス処理部と、送信又は受信における１フレームのデータ長情報をアクセス処理部から取得し、該データ長情報に基づいてＡＤＣ又はＤＡＣのオン・オフ状態の切換を制御する制御部とを具備する。
【００１４】
ここで、制御部が、１フレーム分の送信開始前に送信データ長情報をアクセス処理部から取得し、該送信データ長情報に基づいて１フレーム分の送信期間を求め、送信期間からＡＤＣのスタートアップに要する所定の期間を除いた期間においてＡＤＣを停止状態となるように制御し、その期間の経過後にＡＤＣを動作状態となるように制御しても良い。
【００１５】
さらに、制御部が、１フレーム分の受信開始後に受信データ長情報をアクセス処理部から取得し、該受信データ長情報に基づいて１フレーム分の受信期間を求め、受信期間からＤＡＣのスタートアップに要する所定の期間を除いた期間においてＤＡＣを停止状態となるように制御し、その期間の経過後にＤＡＣを動作状態となるように制御しても良い。
【００１６】
また、制御部が、該データ長情報に基づいて復調回路又は変調回路のオン・オフ状態の切換を制御しても良い。
その場合に、制御部が、１フレーム分の送信開始前に送信データ長情報をアクセス処理部から取得し、該送信データ長情報に基づいて１フレーム分の送信期間を求め、送信期間から復調回路のスタートアップに要する所定の期間を除いた期間において復調回路を停止状態となるように制御し、その期間の経過後に復調回路を動作状態となるように制御しても良い。
【００１７】
さらに、制御部が、１フレーム分の受信開始後に受信データ長情報をアクセス処理部から取得し、該受信データ長情報に基づいて１フレーム分の受信期間を求め、受信期間から変調回路のスタートアップに要する所定の期間を除いた期間において変調回路を停止状態となるように制御し、その期間の経過後に変調回路を動作状態となるように制御しても良い。
【発明の効果】
【００１８】
本発明によれば、送信又は受信におけるデータ長情報に基づいてＡＤＣ又はＤＡＣのオン・オフ状態の切換を制御することによって、従来の回路に大きな変更を加えることなく、アナログ回路の消費電力を削減することができる。また、データ長情報に基づいて復調回路又は変調回路のオン・オフ状態の切換を制御するようにすれば、さらに消費電力を削減することができる。
【発明を実施するための最良の形態】
【００１９】
以下、本発明を実施するための最良の形態について、図面を参照しながら詳しく説明する。なお、同一の構成要素には同一の参照番号を付して、説明を省略する。
図１は、本発明の第１の実施形態に係る無線ＬＡＮ通信回路及びホストコンピュータの構成を示すブロック図である。図１に示すように、無線ＬＡＮ通信回路１０は、ＲＦ信号の変調及び復調を行うＲＦ処理部１１と、ベースバンド信号の処理を行うベースバンド処理部１２と、無線ＬＡＮにおける機器間のアクセス制御（ＭＡＣ：メディア・アクセス・コントロール）に関する処理を行うアクセス処理部（ＭＡＣ処理部）１７と、ベースバンド処理部１２におけるＡ／Ｄ・Ｄ／Ａ動作を制御する制御部１８とを有している。ＭＡＣ処理部１７は、ホストコンピュータ２０に接続される。
【００２０】
ＲＦ処理部１１は、所定の数の搬送波（キャリア）に対し、ベースバンド処理部１２から入力されるベースバンド送信信号に基づいて、ＢＰＳＫ（２相フェーズシフトキーイング）、ＱＰＳＫ（４相フェーズシフトキーイング）、又は、１６ＱＡＭ（直交振幅変調）等のディジタル変調方式による変調を行うことにより送信用のＲＦ信号を生成する変調回路を含んでいる。実際には、ＲＦ処理部１１から出力される送信用のＲＦ信号においては搬送波の振幅が抑圧されているので、振幅が抑圧された搬送波は、サブキャリアと呼ばれている。
【００２１】
生成されたＲＦ信号は、アンテナから電波として送信される。また、ＲＦ処理部１１は、アンテナを用いて電波を受信することによって得られたＲＦ信号に対して復調を行うことによりベースバンド受信信号を生成する復調回路を含んでいる。生成されたベースバンド受信信号は、ベースバンド処理部１２に出力される。
【００２２】
ＲＦ処理部１１とベースバンド処理部１２との間で受け渡しされるベースバンド信号は、１０ＭＨｚを中心とし、１６ＭＨｚの帯域幅を有するアナログ信号である。ディジタル変調方式としてＱＰＳＫを用いる場合には、１つの搬送波に対してＩチャンネルとＱチャンネルの２系統のベースバンド信号が使用される。また、ディジタル変調方式としてＢＰＳＫを用いる場合には、１つの搬送波に対して１系統のベースバンド信号が使用され、ディジタル変調方式として１６ＱＡＭを用いる場合には、１つの搬送波に対して４系統のベースバンド信号が使用される。
【００２３】
また、無線ＬＡＮにおいては、ＯＦＤＭ（直交周波数分割多重方式）が用いられるので、複数の搬送波を使用して多量のデータを伝送することができる。従って、搬送波の数に合わせて、ベースバンド信号のチャンネル数が増加することになる。ＯＦＤＭにおいては、直交する複数のサブキャリアを使用することにより、これらのサブキャリアのスペクトラムのオーバーラップを許して、周波数利用効率を向上させている。
【００２４】
ベースバンド処理部１２は、ＭＡＣ処理部１７から入力される送信データの形式をディジタル変調方式に対応してエンコードするエンコーダ１３と、エンコードされた送信データをアナログの送信信号に変換するＤＡＣ１４と、ＲＦ処理部から入力されるアナログの受信信号を受信データに変換するＡＤＣ１５と、受信データの形式をディジタル変調方式に対応してデコードすることにより、デコードされた受信データをＭＡＣ処理部１７に出力するデコーダ１６とを含んでいる。
【００２５】
ＭＡＣ処理部１７は、物理層の上位のデータリンク層においてフレームの送受信方法やフレームの形式及び誤り検出方法等を規定するＭＡＣに関する処理を行い、ホストコンピュータ２０から入力される送信データを処理してベースバンド処理部１２に出力すると共に、ベースバンド処理部１２によってデコードされた受信データを処理してホストコンピュータ２０に出力する。
【００２６】
ところで、ＩＥＥＥ８０２．１１に規定されている無線ＬＡＮのデータ・フォーマットによれば、送信／受信データ中のＰＬＣＰヘッダと呼ばれる部分に、送信／受信における１フレームのデータ長を表すデータ長情報（ＬＥＮＧＴＨ情報）が含まれている。そこで、本実施形態においては、制御部１８が、送信又は受信における１フレームのデータ長情報（ＬＥＮＧＴＨ情報）をＭＡＣ処理部１７から取得し、これに基づいて１フレームの分の送信期間又は受信期間を求め、ＡＤＣ１５又はＤＡＣ１４のオン・オフ状態の切換を制御することにより消費電力を削減している。
【００２７】
図２は、無線ＬＡＮのデータ・フォーマットによる１フレーム分の送信／受信データの内容を示す図である。図２に示すように、１フレーム分の送信／受信データには、伝送速度を示す４ビット（ＲＡＴＥ）と、予約の有無を示す１ビットと、データ部のオクテット長を示す１２ビット（ＬＥＮＧＴＨ）と、パリティ１ビットと、畳み込み符号化を終端させるための付加６ビット（Ｔａｉｌ）と、サービス１６ビット（ＳＥＲＶＩＣＥ）と、物理レイヤが伝送するデータ本体のＰＳＤＵ（ＰＬＣＰ  Ｓｅｒｖｉｃｅ  Ｄａｔａ  Ｕｎｉｔ）等が含まれている。
【００２８】
ここで、上記のＲＡＴＥ〜Ｔａｉｌの２４ビットは、１つのＯＦＤＭシンボル（ＳＩＧＮＡＬ）を構成しており、この部分については、ディジタル変調方式としてＢＰＳＫが用いられ、符号化率ｒは１／２である。また、ＳＥＲＶＩＣＥ以降の部分については、ＳＩＧＮＡＬ内に伝送速度が表示されている。また、ＳＩＧＮＡＬの前には、１２シンボルのＰＬＣＰプリアンブルが付加されている。
【００２９】
ＰＬＣＰプリアンブルは、ショート・プリアンブルとロング・プリアンブルとによって構成される。ショート・プリアンブルは、主に、タイミング検出と自動周波数制御の粗調整のために利用される。また、ロング・プリアンブルは、主に、自動周波数制御の微調整とチャンネル推定のために利用される。
【００３０】
ショート・プリアンブルとロング・プリアンブルとの間、及び、それ以降のデータの区切りには、ガード・インターバル（ＧＩ）が挿入されている。ガード・インターバルは、乱反射等による遅延波によって生じるマルチパス障害に対応するために、データを時間的に一部重複させた部分である。
【００３１】
次に、本発明の第１の実施形態に係る無線ＬＡＮ通信回路の動作について、図１及び図３を参照しながら説明する。
図３は、図１に示す無線ＬＡＮ通信回路の動作を示すタイミング図である。図１に示すＭＡＣ処理部１７は、送信／受信データ中のＰＬＣＰヘッダから、送信／受信における１フレームのデータ長を表すＬＥＮＧＴＨ情報を抽出し、制御部１８に供給する。
【００３２】
制御部１８は、送信前又は受信直後に、ＭＡＣ処理部１７からＬＥＮＧＴＨ情報を取得することにより、ＬＥＮＧＴＨ情報に基づいて送信データ又は受信データの１フレームの長さを認識することができる。これにより、制御部１８は、送信期間又は受信期間を求め、ＡＤＣ１５又はＤＡＣ１４のオン・オフ状態の切換を制御する。
【００３３】
即ち、制御部１８は、１フレーム分のデータの送信開始前に送信ＬＥＮＧＴＨ情報を取得し、これに基づいて１フレーム分の送信期間ＴＴを求め、時刻ｔ０又はｔ２において１フレーム分のデータの送信が開始されてから（ＴＴ−Ｔ１）の期間においてＡＤＣ１５を停止状態（電源オフ状態）とし、その期間の経過後にＡＤＣ１５を動作状態（電源オン状態）とするように、制御信号をＡＤＣ１５に出力する。ここで、Ｔ１は、電源が投入されてからＡＤＣ１５が正常に動作するようになるまでのスタートアップ期間を表している。
【００３４】
また、制御部１８は、１フレーム分のデータの受信開始直後に受信ＬＥＮＧＴＨ情報を取得し、これに基づいて１フレーム分の受信期間ＴＲを求め、時刻ｔ１において１フレーム分のデータの受信が開始されてから（ＴＲ−Ｔ２）の期間においてＤＡＣ１４を停止状態（電源オフ状態）とし、その期間の経過後にＤＡＣ１４を動作状態（電源オン状態）とするように、制御信号をＤＡＣ１４に出力する。ここで、Ｔ２は、電源が投入されてからＤＡＣ１４が正常に動作するようになるまでのスタートアップ期間を表している。
【００３５】
実際に、送信期間におけるＡＤＣの電力削減について試算すると、次のようになる。
ＩＥＥＥ８０２．１１の規定により、無線ＬＡＮの１フレーム分の送信期間におけるシンボル数は、次式（１）で表される。
【数１】
2006295358.tif 000003
【００３６】
ここで、転送データを最大値で１５００バイト（１５００×８／２４シンボル）とし、変調方式としてＢＰＳＫ方式を用いる場合に変調方式による係数を１とし、符号化における冗長度が２倍である場合に符号化率を１／２とし、キャリア数を最小値で２とすると、これらの値を式（１）に代入することにより、１フレーム分の送信期間におけるシンボル数は、次式（２）によって求められる。
【数２】
2006295358.tif 000004
【００３７】
この場合には、１フレーム分の送信期間におけるシンボル数が５００となる。ここで、１シンボルのデータを送信するために要する期間は４μ秒であるから、１フレーム分の送信期間は２０００μ秒（２ｍ秒）となる。一方、ＡＤＣ１５のスタートアップ期間は１ｍ秒程度であるから、１フレーム分の送信期間２ｍ秒からＡＤＣ１５のスタートアップ期間１ｍ秒を除いた期間である１ｍ秒だけ、ＡＤＣ１５をオフにすることができる。これにより、ＡＤＣ１５の消費電力を半減することができる。
【００３８】
同様に、ＤＡＣ１４についても、１フレーム分の受信期間からＤＡＣ１４のスタートアップ期間を除いた期間だけ、ＤＡＣ１４を停止状態（電源オフ状態）にすることができる。これにより、ＤＡＣ１４の消費電力を低減することができる。
【００３９】
次に、本発明の第２の実施形態について説明する。
図４は、本発明の第２の実施形態に係る無線ＬＡＮ通信回路及びホストコンピュータの構成を示すブロック図である。第２の実施形態においては、第１の実施形態におけるＡＤＣ１５及びＤＡＣ１４に対する制御に加えて、図４に示すＲＦ処理部３０に含まれている復調回路３２及び変調回路３１に対して同様の制御が行われる。
【００４０】
第２の実施形態において、制御部３３は、送信前又は受信直後に、ＭＡＣ処理部１７からＬＥＮＧＴＨ情報を取得することにより、ＬＥＮＧＴＨ情報に基づいて送信データ又は受信データの１フレームの長さを認識し、送信期間又は受信期間を求め、復調回路３２及び変調回路３１のオン・オフ状態の切換を制御する。
【００４１】
即ち、制御部３３は、１フレーム分のデータの送信開始前に送信ＬＥＮＧＴＨ情報を取得し、これに基づいて１フレーム分の送信期間ＴＴを求め、１フレーム分のデータの送信が開始されてから（ＴＴ−Ｔ３）の期間において復調回路３２を停止状態（電源オフ状態）とし、その期間の経過後に復調回路３２を動作状態（電源オン状態）とするように、制御信号を復調回路３２に出力する。ここで、Ｔ３は、電源が投入されてから復調回路３２が正常に動作するようになるまでのスタートアップ期間を表している。
【００４２】
また、制御部３３は、１フレーム分のデータの受信開始直後に受信ＬＥＮＧＴＨ情報を取得し、これに基づいて１フレーム分の受信期間ＴＲを求め、１フレーム分のデータの受信が開始されてから（ＴＲ−Ｔ４）の期間において変調回路３１を停止状態（電源オフ状態）とし、その期間の経過後に変調回路３１を動作状態（電源オン状態）とするように、制御信号を変調回路３１に出力する。ここで、Ｔ４は、電源が投入されてから変調回路３１が正常に動作するようになるまでのスタートアップ期間を表している。
【００４３】
本発明の第２の実施形態によれば、上記のような制御を行うことにより、ＡＤＣ１５及びＤＡＣ１４の消費電力を低減すると共に、復調回路３２及び変調回路３１の消費電力をも低減することができる。
【図面の簡単な説明】
【００４４】
【図１】本発明の第１の実施形態に係る無線ＬＡＮ通信回路の構成を示すブロック図。
【図２】無線ＬＡＮにおける１フレーム分の送信／受信データの内容を示す図。
【図３】図１に示す無線ＬＡＮ通信回路の動作を示すタイミング図。
【図４】本発明の第２の実施形態に係る無線ＬＡＮ通信回路の構成を示すブロック図。
【符号の説明】
【００４５】
１１  ＲＦ処理部、  １２  ベースバンド処理部、  １３  エンコーダ、  １４  ＤＡＣ、  １５  ＡＤＣ、  １６  デコーダ、  １７  ＭＡＣ処理部、  １８、３３  制御部、  ２０  ホストコンピュータ、  ３０  ＲＦ処理部、  ３１  変調回路、  ３２  復調回路
【図１】
2006295358.tif 000005
【図２】
2006295358.tif 000006
【図３】
2006295358.tif 000007
【図４】
2006295358.tif 000008